【事件の表示】
　特願２０００−　２４７２８「リボンカセット」拒絶査定不服審判事件〔平成１３年　７月３１日出願公開、特開２００１−２０５９０５〕について、次のとおり審決する。
【結　論】
　本件審判の請求は、成り立たない。
【理　由】
第１　手続の経緯
　本願は、平成１２年１月２８日の出願であって、平成１７年６月１０日付けで通知された拒絶理由に対して、同年８月３日付けで手続補正書が提出されたが、平成１８年６月６日付けで拒絶査定がなされ、これに対して、同年７月１３日付けで審判請求がなされるとともに、同年８月１０日付けで手続補正書が提出され、その後、当審の審尋に対して平成２０年６月３０日付けで回答書が提出されたものである。
　
　
第２　平成１８年８月１０日付けの手続補正についての補正の却下の決定
［補正却下の決定の結論］
　平成１８年８月１０日付けの手続補正（以下、「本件補正」という。）を却下する。
　
［理由］
１．補正後の本願発明
　本件補正には、特許請求の範囲を次のように補正しようとする事項が含まれる。
　
（補正前）
「【請求項１】第１の収納部と、この第１の収納部と所定の間隔を設けて配置された第２の収納部と、これら第１及び第２の収納部の端部を繋ぐ一対の連結部とを有するカセットケースと、前記第１及び第２の収納部内にそれぞれ回転可能に収納された送出しコア及び巻取りコアと、該送出しコア及び前記巻取りコアにそれぞれ巻装され、前記送出しコアから送出され、前記巻取りコアに巻取られる幅広なインクリボンとを備え、前記送り出しコアから巻取りコアに至る前記インクリボンの走行経路が略クランク状に形成されるとともに印刷時（プリンタへの装着時）における前記インクリボンの走行経路において、前記インクリボンの一部が前記送り出しコアおよび巻取りコアのそれぞれの中心部を結ぶ直線の上方に位置し、かつ、前記連結部間に形成された矩形状の孔部にてカセット本体の外部に導出される前記インクリボンが前記直線の下方に位置することを特徴とするリボンカセット。
【請求項２】前記インクリボンの走行経路にはインクリボンの幅方向に沿った第１の支持部と該第１の支持部に対応した第２の支持部が設けられ、前記送り出しコアから送出されたインクリボンは、前記上記第１の支持部にて折り曲げられ続いて前記第２の支持部にて前記第１の支持部による折り曲げ方向とは反対方向に折り曲げられて前記巻取りコアに巻回されることで、前記インクリボンの走行経路が略クランク状に形成されたことを特徴とする請求項１記載のリボンカセット。
【請求項３】前記第１の支持部は、前記カセットケースの側板部および前記第１の収納部の側面部を橋架するシャフトからなることを特徴とする請求項１または２記載のリボンカセット。
【請求項４】前記連結部は、一対からなり、前記第１及び第２の収納部の両端部をそれぞれ連結し、前記第２の支持部は、前記一対の連結部材間の一部を橋架する壁部により構成したことを特徴とする請求項２乃至３のいずれか１つに記載のリボンカセット。
【請求項５】前記インクリボンは、前記送り出しコアおよび巻取りコアに、そのインク面が内側となるように巻回されたことを特徴とする請求項１乃至４のいずれか１項に記載のリボンカセット。」
　
（補正後）
「【請求項１】第１の収納
部、
部、及び、
　前記第１及び第２の収納部内にそれぞれ回転可能に収納された送出しコア及び巻取りコアと、　
　前記送出しコア及び前記巻取りコアにそれぞれ巻装され、前記送出しコアから送出され、前記巻取りコアに巻取り可能な幅広なインクリボンとを備え、
　前記送出しコアから巻取りコアに至る前記インクリボンの走行経路
が
送出
で走行
しており
　
前記クランク状に形成されたインクリボンの走行経路は、前記孔部と、前記一対の連結部間の一部を橋架する壁部とからなる立上げ経路を有して前記インクリボンの前記上方に位置した走行を可能し、
前記壁部と前記第１収納部の周壁部とにより空間部が形成されている
【請求項２】前記インクリボンの走行経路に
は、
と、
送出
記第
がク
【請求項３】前記第１の支持部は、前記カセットケースの側板部及び前記第１の収納部の側面部を橋架するシャフトからなることを特徴とする請求項１または２記載のリボンカセット。
【請求項４】前記
一対の
記壁
されている
【請求項５】前記インクリボンは、前記送出しコア及び巻取りコアに、そのインク面が内側となるように巻回され
ている
　
　この補正事項は、補正前の請求項１記載の「クランク状に形成されたインクリボンの走行経路」を、「クランク状に形成されたインクリボンの走行経路は、前記孔部と、前記一対の連結部間の一部を橋架する壁部とからなる立上げ経路を有して前記インクリボンの前記上方に位置した走行を可能し、前記壁部と前記第１収納部の周壁部とにより空間部が形成されている」と限定するものであり、この補正事項は、平成１４年法律第２４号改正附則第２条第１項によりなお従前の例によるとされる同法による改正前の特許法第１７条の２第４項第２号の特許請求の範囲の減縮を目的としたものに該当する。
　また、本件補正は、上記限定以外の補正事項も含むが、上記限定に伴う文章表現上の整理であるとして、特許請求の範囲の減縮を目的とする補正と一体のものと認める。
　そこで、本件補正後の前記請求項１に記載された発明（以下、「本願補正発明１」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
２．引用刊行物の記載事項
（２−１）刊行物１
　原査定の拒絶の理由に引用された、本願出願前に頒布された特開平９−２６７４９９号公報（原査定の引用文献１。以下、「刊行物１」という。）には、図面とともに次の事項が記載されている。なお、下線は当審で付与した。
　
（２−１ａ）「【００２１】
【発明の実施の形態 】本発明の請求項１に記載の発明は、固定型サーマルヘッドと、前記サーマルヘッドの発熱体近傍にほぼ垂直方向にリボンを案内するガイド部を具備したリボンカセットと、前記サーマルヘッドに受像紙及びリボンを介して当接可能に設けたプラテンローラと、受像紙を挟持移送するためのキャプスタンローラとピンチローラからなる紙移送手段と、前記リボンを巻取るための巻取り摩擦クラッチ手段と、前記各手段を駆動するモータとを備え、前記受像紙をキャプスタンローラとピンチローラで挟持し、その直後に、前記リボンを垂直方向に案内するガイド部を持ったリボンカセットを、更に後方にサーマルヘッドとプラテンローラを配置したことを特徴としたプリンタとしたものであり、サーマルヘッドを固定にし、リボンカセットに、サーマルヘッドの発熱体近傍にほぼ垂直方向にリボンを案内するガイド部を設け、プラテンローラを可動型にすることにより、リボンのたるみ取りをする必要が無くなった。
【００２２】請求項２に記載の発明は、発熱体と基板を持つサーマルヘッドと、前記サーマルヘッドに受像紙及びリボンを介して当接可能に設けたプラテンローラと、受像紙を移送するためのキャプスタンローラとピンチローラからなる紙移送手段と、前記リボンを内蔵するリボンカセットと、前記各手段を駆動するモータとを備え、前記サーマルヘッドは発熱体と同方向に複数のフィンを持ったフィン一体型基板であることを特徴としたプリンタ、としたものであり、発熱体と平行にフィンを設けることにより発熱体取付基板とフィンを１体化したアルミ押出部材になる。」
　
（２−１ｂ）「【００２３】以下、本発明の実施の形態について、図面を用いて説明する。
（実施の形態１）図１から図３までは本発明の実施の形態における熱転写プリンタの構成概要を示す説明図である。
【００２４】図１はメカニズムの平面概要を示すレイアウト図，図２はメカニズムの正面概要を示すレイアウト図，
図３はサーマルヘッドの構成及びリボンパスを示す詳細図
【００２５】これら図面において、３は紙ストッカで印画後の受像紙を貯め、４は紙カセットで複数の受像紙を搭載し、そして右端底部にスリットを有し、ピッカローラ支持板の上昇時には、最下部の受像紙がピッカーローラにより移送され、またピッカーローラ支持板と係合して引き出しできなくなる。
【００２６】
５はリボンカセットで、ガイド部５ａ，ガイド部５ｂ，ガイド部５ｃ，及び側面部５ｄを有し、イエロー，マゼンタ，シアンの染料を塗布された、検出マークマーク付きのリボン４８を内蔵し、供給リール５１と巻取りリール５０を備え受像紙５０枚を印画出来る。特に、ガイド部５ｂ，５ｃはサーマルヘッド１０の側面に隣接し、かつピンチローラ１８とも接近した位置にある。またリボン４８はガイド部５ａからサーマルヘッド１０の発熱体部１０ａの下面を通ってガイド部５ｂで上方に、そしてガイド部５ｃで左方向に引っ張られて巻き取りリール５０に巻き取られる。
【００２７】７はメカニズム基板でギアーや基軸軸受け等を取り付けている。８は基軸でプラテンローラ，ピッカーローラ，ピンチローラの各支持板、及び切り換え板の回動中心になっている。
【００２８】１０はサーマルヘッドで１列の発熱体１０ａ，フィン１０ｂ付きの基板１０ｃ，フレキ基板１０ｄ及びリセプタクル１０ｅ、を有し（図３）、サブメカニズム基板に固定され、受像紙及びリボンを介してプラテンローラに押圧される。なお、フィン１０ｂは発熱体１０ａと同じ方向に複数設けられ、基板１０ｃと１体化したアルミ押出部材。１１はプラテンローラ（サーマルヘッドとプラテンローラで記録手段を構成）。
【００２９】１２はプラテンローラ支持板で、右端にてプラテンローラ押圧バネを支持し、左端部穴にて基軸８を中心に回動する。１６はキャプスタンローラで、外周部にスパイク状の突起を設けて、かつＦＧ制御されたモータと連動して、受像紙を正確に送る。１７はキャプスタンローラギアである。
【００３０】１８はピンチローラで、受像紙を介してキャプスタンローラに押圧する。１９はピンチローラ支持板で、右端にてピンチローラを支持し、左端穴部で基軸８に嵌合し回動する。なおコイルバネで時計方向に付勢されている。２０はウオームギア。
【００３１】２３はＦＧ制御されたＤＣモータで、正逆転することで、給紙、印画、排紙を行う。２４は紙押板，２５は紙押しホロア板でコイルバネで反時計方向に付勢されている。
【００３２】２６はピッカローラで先端にピッカローラギア２６ｇを具備している。２７はピッカローラ支持板，２８はピッカカムギア，３５はメインカムロック板，３６はメインカム，３８はメインカムギア，４５は切り換え板，４６は巻取り摩擦クラッチ，４８はリボン，５０は巻取りリール，５１は供給リールである。５４はサブメカニズム基板でサーマルヘッド等を取り付けている。
【００３３】以上のように構成された実施例の熱転写ビデオプリンタについて、以下その動作について説明する。
【００３４】まず、紙カセット４とリボンカセット５を本体の挿入口より内側に挿入される。なお、この時プラテンローラ１１はサーマルヘッドより離脱していて、その間をリボンカセット５のガイド部に案内されたリボン４８も同じく設置される。また、巻取りリール５０と供給リール５１はそれぞれ巻取りリール摩擦クラッチ４６の結合部４６ａと供給リール位置決めリンク４９に係合する。
【００３５】開始操作にて、ＤＣモータ２３が正回転にて作動開始し、それに連動して、ウオームギア２０，キャプスタンローラギア１７，巻き取りリール摩擦クラッチ４６及び巻き取りリール５０が回転してリボン４８が巻き取られる。そして、リボン４８は、センサー（図示せず）がリボンの検出マークを検出して、その位置で止まる。
【００３６】次に、紙カセット４内の受像紙はピッカローラ２６により送られ、さらにキャプスタンローラ１６とピンチローラ１８にも送られて所定位置で停止し、その後プラテンローラ１１が上方に回動して、受像紙とリボン４８をサーマルヘッド１０と共に挟持して印画を開始する。この時リボン４８とサーマルヘッド１０は近接していてプラテンローラ１１に押されても初期状態とほとんど同じ位置で、プラテンローラが離脱してもその状態でリボンカセットを取り出しても問題ない。その後所定の動作を行い、排紙して終了する。」
　
（２−１ｃ）上記で参照している【図３】は、以下に示すものである。
　  
（２−１ｄ）【図３】より、リボンカセット５が、「供給リールの収納部」と「巻取りリールの収納部」を有していること、供給リール収納部と巻取りリール収納部を連結する何らかの「連結部」があること、リボンの走行経路が、ガイド部５ｂ及びガイド部５ｃにより「クランク状に形成」されていること、「リボンの一部が供給リール及び巻取りリールのそれぞれの中心部を結ぶ直線の下方に位置」すること、「リボンカセット本体の外部で走行されるリボンが前記直線の下方に位置」すること、ガイド部５ｂによりリボンの走行経路が立上げ経路を有するようになっていること、ガイド部５ｂと巻取りリールの収容部とにより空間部が形成されていること、カセットケースが孔部を有し、孔部にてカセットケース本体の外部で走行されるリボンが供給リールと巻取りリールのそれぞれの中心部を結ぶ直線の下方に位置していること、が明らかである。
　
　上記（２−１ａ）〜（２−１ｄ）の摘記事項等を総合して勘案すると、刊行物１には次の発明（以下、「刊行物１記載の発明」という。）が記載されているものと認められる。
　
「供給リールの収納部、この供給リールの収納部と所定の間隔を設けて配置された巻取りリールの収納部、及び、これら供給リールと巻取りリールの収納部の端部を繋ぐ連結部とを有するリボンカセットと、
　前記供給リール及び巻取りリールの収納部内にそれぞれ回転可能に収納された供給リール及び巻取りリールと、
　前記供給リール及び前記巻取りリールにそれぞれ巻装され、前記供給リールから送出され、前記巻取りリールに巻取り可能なリボンとを備え、
　前記供給リールから、ガイド部５ａを経て、サーマルヘッド１０の発熱体部１０ａの下面を通ってガイド部５ｂで上方に、そしてガイド部５ｃで左方向に引っ張られて巻取りリールに至る前記リボンの走行経路がクランク状に形成されるとともに印刷時（プリンタへの装着時）における前記リボンの走行経路において、
　前記リボンの一部が前記供給リール及び巻取りリールのそれぞれの中心部を結ぶ直線の下方に位置し、かつ、リボンカセットに形成された孔部にてカセット本体の外部で走行される前記リボンが前記直線の下方に位置しており、
　前記クランク状に形成されたリボンの走行経路は、前記孔部と、ガイド部５ｂからなる経路を有し、前記ガイド部５ｂと巻取りリールの収容部とにより空間部が形成されているリボンカセット。」
　
３．本願補正発明１と刊行物１記載の発明の対比・判断
　そこで、本願補正発明１と刊行物１記載の発明とを対比すると、
　刊行物１記載の発明の「供給リールの収納部」、「巻取りリール収納部」、「供給リール」、「巻取りリール」は、それぞれ、本願補正発明１の「第１の収納部」、「第２の収納部」、「送出しコア」、「巻取りコア」に相当する。
　また、刊行物１記載の発明の「リボン」は、ある程度の幅を有することは明らかであるから、本願補正発明１の「幅広なインクリボン」に相当するといえる。
　
　したがって、両者は、
「第１の収納部、この第１の収納部と所定の間隔を設けて配置された第２の収納部、及び、これら第１及び第２の収納部の端部を繋ぐ連結部とを有するカセットケースと、
　前記第１及び第２の収納部内にそれぞれ回転可能に収納された送出しコア及び巻取りコアと、　
　前記送出しコア及び前記巻取りコアにそれぞれ巻装され、前記送出しコアから送出され、前記巻取りコアに巻取り可能な幅広なインクリボンとを備え、
　前記送出しコアから巻取りコアに至る前記インクリボンの走行経路がクランク状に形成されるとともに印刷時（プリンタへの装着時）における前記インクリボンの走行経路において、
　リボンカセットに形成された孔部にてカセット本体の外部で走行される前記インクリボンが前記直線の下方に位置しているリボンカセット。」
である点で一致し、以下の点で相違する。
　
（３−１ａ）相違点１
　本願補正発明１の連結部は、一対の連結部であり、該連結部により形成される孔部が矩形状であるのに対して、刊行物１記載の発明には、連結部及び孔部についてその具体的な記載がない点。
　
（３−１ｂ）相違点２
　本願補正発明１は、リボンの一部が前記送出しコア及び巻取りコアのそれぞれの中心部を結ぶ直線の上方に位置するのに対して、刊行物１記載の発明は、リボンの全てが直線の下方に位置する点。
　
（３−１ｃ）相違点３
　本願補正発明１は、一対の連結部間の一部を橋架する壁部からなる立上げ経路を有して、前記壁部と第１の収納部の周壁部とにより空間部が形成されているのに対して、刊行物１記載の発明は、第１の収納部の周壁部により空間部は形成されておらず、第２の収納部近辺に、ガイド部５ｂによる立上げ経路を有して、ガイド部５ｂと第２の収容部により空間部が形成されている点。
　
（３−２）相違点についての判断
　上記相違点について検討する。
（３−２ａ）相違点１について
　リボンカセットにおいて、一対の連結部を有し、かつ連結部により形成される孔部が矩形状とすることは、実願平１−９６０４７号(実開平３−３６８４９号)のマイクロフイルム（第１図及び第２図等参照）、特開平４−５９２６５号公報（第１図等参照）、特開平１０−３２９３７７号公報（図８、図１４等参照）及び特開昭６３−１１５７７０号公報（第１図及び第２図等参照）等にもあるように周知の技術的事項である。
　したがって、刊行物１記載の発明において、上記周知の技術的事項を採用して、連結部を一対とし、連結部により形成される孔部を矩形状とすることは、当業者なら容易になし得ることである。
　
（３−２ｂ）相違点２について
　リボンの一部を前記送出しコア及び巻取りコアのそれぞれの中心部を結ぶ直線の上方に位置させる点は、実願平１−９６０４７号(実開平３−３６８４９号)のマイクロフイルム 、特開平４−５９２６５号公報、特開平１０−３２９３７７号公報及び実願平２−８６６２９号(実開平４−４５７５６号)のマイクロフイルム等にもあるように周知の技術的事項である。
　したがって、刊行物１記載の発明において、上記周知の技術的事項を採用して、リボンの一部を前記送出しコア及び巻取りコアのそれぞれの中心部を結ぶ直線の上方に位置させることは、当業者なら容易に想到しうるものである。
　
（３−２ｃ）相違点３について
　例をあげるまでもなく、装置内に各種部品を収納するにあたり、装置全体の大きさや形状、各種部品各々の大きさや形状、各種部品間の関係等を考慮して、各種部品をムダのない形状及び配置とすることは当業者なら必要に応じて適宜なし得る設計的事項である。
　したがって、刊行物１記載の発明において、第１の収納部を適宜上部に設けるなどして、第１の収納部の周壁部とガイド部５ａにより空間部を形成することは当業者なら適宜なし得ることである。
　
（３−３）効果について
　そして、全体として、本願補正発明１によってもたらされる効果は、刊行物１記載の発明及び周知の技術的事項から、当業者であれば予測しうる程度のものであって、格別のものはない。
　
（３−４）まとめ
　よって、本願補正発明１は、刊行物１記載の発明及び周知の技術的事項に基づいて当業者が容易に発明をすることができたものであるから、特許法第２９条第２項の規定により、特許出願の際独立して特許を受けることができない。
　
４．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３　本願発明について
１．本願の請求項１に係る発明
　平成１８年８月１０日付けの手続補正は上記のとおり却下されたので、本願の請求項１〜５に係る発明は、平成１７年８月３日付けの手続補正書により補正された特許請求の範囲の請求項１〜５に記載された事項により特定されるとおりのものと認められるところ、その請求項１に係る発明（以下、「本願発明１」という。）は、上記「第２　１．（補正前）」のとおりのものである。
　
２．引用刊行物の記載事項
（１）刊行物１
　原査定の拒絶の理由に引用された、本願出願前に頒布された特開平９−２６７４９９号公報（以下、「刊行物１」という。）の記載事項は、前記「第２　２．（２−１）」に記載したとおりである。
　
３．対比・判断
　本願発明１は、前記「第２　１．」で検討した本願補正発明１の「クランク状に形成されたインクリボンの走行経路は、前記孔部と、前記一対の連結部間の一部を橋架する壁部とからなる立上げ経路を有して前記インクリボンの前記上方に位置した走行を可能し、前記壁部と前記第１収納部の周壁部とにより空間部が形成されている」との構成から、「前記孔部と、前記一対の連結部間の一部を橋架する壁部とからなる立上げ経路を有して前記インクリボンの前記上方に位置した走行を可能し、前記壁部と前記第１収納部の周壁部とにより空間部が形成されている」という限定事項を省いたものである。
　そうすると、本願発明１の構成要件を全て含み、さらに他の構成要件を付加したものに相当する本願補正発明１が、前記「第２　３．」に記載したとおり、刊行物１に記載された発明及び周知技術に基づいて当業者が容易に発明をすることができたものであるから、本願発明１も、同様の理由により、刊行物１に記載された発明及び周知技術に基づいて当業者が容易に発明をすることができたものである。
　
４．むすび
　以上のとおりであるから、本願の請求項１に係る発明は、特許法第２９条第２号の規定により特許を受けることができないものであるので、他の請求項について検討するまでもなく、本願は拒絶すべきものである。
　なお、請求人は、平成２０年６月３０日付け回答書において、補正の機会を要望しているが、補正の機会を制限する特許法の趣旨に鑑みて、補正の機会を設けることはしない。
　よって、結論のとおり審決する。